(57)【特許請求の範囲】
【請求項１】
壁面に固定されハンドボタン（４）が接続されたプレート子機（５）と、当該プレート子機に廊下灯（３）を介して接続されたナースコール親機（１）とを備えたナースコール装置であって、
前記ハンドボタンは、ハンドボタンフレーム（４０）の長手方向の一端（Ｅ１）に設けられ患者が看護師を呼び出すための呼出押しボタン（４１）と、前記ハンドボタンフレームの側面（Ｓ）に設けられ前記呼出押しボタンと同一の呼出機能を有する呼出握りボタン（４２）と、前記呼出押しボタン及び前記呼出握りボタンそれぞれに備えられ、前記ハンドボタンフレームに搭載されている１個の呼出スイッチ（４０１）を押下する運動変換機構とを備え、
前記運動変換機構は、前記ハンドボタンフレームに一端側が揺動自在に軸承され前記呼出スイッチを他端側で押下するための呼出スイッチ押下片（４４）と、前記呼出スイッチ押下片の前記他端側に設けられたカムフロワ（４４４）と、前記カムフロアと係合するように前記呼出押しボタンに設けられ、当該呼出押しボタンの押下操作に応じて前記カムフロワが摺動し、前記呼出スイッチ押下片の前記他端側が前記一端側の軸承位置を中心にして揺動して前記呼出スイッチを押下するカム（４１１）と、前記呼出スイッチ押下片に設けられた傾斜部（４４５）と、前記傾斜部と係合するように前記呼出握りボタンに形成され、当該呼出握りボタンの握り操作に応じて前記傾斜部を押下させながら当該傾斜部上を摺動し、前記呼出スイッチ押下片が前記一端側の軸承位置を中心にして揺動して、前記ハンドボタンフレームを構成する第１フレーム（４０’）及び第２フレーム（４０”）のうち前記第２フレームの表面に前記呼出スイッチを覆うように設けられているスイッチカバー（４０３）を介して前記呼出スイッチを押下する押下突起（４２２）とを有することを特徴とするナースコール装置。
【請求項２】
前記呼出握りボタンは、前記ハンドボタンの円周方向において実質的に均等若しくは対称に配置されて少なくとも２個設けられたことを特徴とする請求項１記載のナースコール装置。
【請求項３】
前記ハンドボタンには、前記呼出握りボタンの動作を抑止するロック機構を備え、前記ロック機構は、前記ハンドボタンフレームに回転自在に設けられたカム（４５４）と係合するためのカムフロワ（４７３）と、前記カムの回転に応じて前記カムフロワとともに前記ハンドボタンフレームの長手方向に摺動し前記呼出握りボタンと衝合して前記呼出握りボタンの動作を抑止するロック片（４７１）とを有し、前記ロック片が前記ハンドボタンフレームの長手方向に摺動されて前記呼出握りボタンへの衝合／衝合の解除を行なう握りボタンストッパであることを特徴とする請求項１又は請求項２記載のナースコール装置。
【発明の詳細な説明】
【技術分野】
【０００１】
本発明はナースコール装置に係り、特にナースステーションの看護師を呼び出すためのハンドボタンによる呼出操作の操作性を高めたナースコール装置に関する。
【背景技術】
【０００２】
従来からこの種のナースコール装置は、病室内に設置されるプレート子機と、ナースステーションに設置されるナースコール親機とを備え、プレート子機は病室の出入口近傍に設置された廊下灯を介して制御機に接続され、制御機はナースコール親機に接続されている。また、プレート子機には、病室内のベッドの患者がナースステーションの看護師を呼び出すためのハンドボタンが接続されている（例えば、非特許文献１参照。）。
【０００３】
このようなナースコール装置において、病室内のベッドの患者がナースステーションの看護師を呼び出すためにハンドボタンを押すと、呼出信号が廊下灯を介して制御機に伝送され、制御機はこの呼出信号をナースコール親機に伝送する。ナースコール親機は、この呼出信号に基づき着信音やＬＥＤ表示などで看護師に対して特定患者から呼び出しがあることを伝え、看護師にナースコール親機で応対することを促す。
【０００４】
【非特許文献１】アイホン総合カタログ２００３／２００４年版、ｐ．３５４−３５５、ｐ．３６６、ｐ．３８０、ｐ．４００−４０１
【発明の開示】
【発明が解決しようとする課題】
【０００５】
背景技術に記載したナースコール装置では、ナースステーションの看護師を呼び出すためのハンドボタンは、呼出ボタンが上面にしかなく、例えば、病室内のベッドの手すりにぶら下げた状態ではハンドボタンの呼出ボタンが床方向に向いてしまうので、押しにくくなってしまう。また、ハンドボタンは全体的に円柱に近い形状であるので、ベッド上に置いたままにすると転がり落ちて機器が破損したり、いざ呼出操作をしようと思っても手元にないという状態になる虞もあった。
【０００６】
本発明は、このような従来の難点を解消するためになされたもので、ハンドボタンの上面に呼出押しボタンを設けると共に側面に呼出握りボタンを設けることにより、ハンドボタンがベッドの手すり等にぶら下がった状態であってもハンドボタンを握る動作のみで看護師の呼び出しを行なうことが可能となるナースコール装置を提供することを目的とする。
【課題を解決するための手段】
【０００７】
本発明のナースコール装置は、壁面に固定されハンドボタンが接続されたプレート子機と、当該プレート子機に廊下灯を介して接続されたナースコール親機とを備え、患者がハンドボタンの呼び出しによりナースコール親機で看護師と相互に通話するものである。
【０００８】
このようなナースコール装置において第１の態様は、ハンドボタンはハンドボタンフレームの長手方向の一端に設けられ患者が看護師を呼び出すための呼出押しボタンと、ハンドボタンフレームの側面に設けられ呼出押しボタンと同一の呼出機能を有する呼出握りボタンとを備えたものである。この呼出握りボタンは、ハンドボタンの円周方向において実質的に均等若しくは対称に配置されて少なくとも２個設けられる。
【０００９】
ハンドボタンを第１の態様のように構成すると、従来と同様にハンドボタンの上面の呼出押しボタンを押すことにより看護師を呼び出すことができると共に、ハンドボタンがベッドの手すり等にぶら下がった状態であってもハンドボタンの側面の呼出握りボタンを握るだけで看護師を呼び出すことができるようになる。
【００１０】
また、ハンドボタンの呼出押しボタン及び呼出握りボタンは、それぞれハンドボタンフレームに搭載されている１個の呼出スイッチを押下する運動変換機構を備えている。この運動変換機構は、ハンドボタンフレームに一端側が揺動自在に軸承され呼出スイッチを他端側で押下するための呼出スイッチ押下片と、呼出スイッチ押下片の他端側に設けられたカムフロワと、カムフロアと係合するように呼出押しボタンに設けられ、当該呼出押しボタンの押下操作に応じてカムフロワが摺動し、呼出スイッチ押下片の他端側が一端側の軸承位置を中心にして揺動して呼出スイッチを押下するカムと、呼出スイッチ押下片に設けられた傾斜部と、傾斜部と係合するように呼出握りボタンに形成され、当該呼出握りボタンの握り操作に応じて傾斜部を押下させながら当該傾斜部上を摺動し、呼出スイッチ押下片が一端側の軸承位置を中心にして揺動して、ハンドボタンフレームを構成する第１フレーム及び第２フレームのうち第２フレームの表面に呼出スイッチを覆うように設けられているスイッチカバーを介して呼出スイッチを押下する押下突起とを有している。
【００１１】
このようにハンドボタンの呼出押しボタン及び呼出握りボタンを、１個の呼出スイッチを押下する運動変換機構で連動するように構成しているので、１個の呼出スイッチを２種類の呼出ボタンでＯＮ、ＯＦＦさせることができる。
【００１２】
また、ハンドボタンには、呼出握りボタンの動作を抑止するロック機構を備え、ロック機構は、ハンドボタンフレームに回転自在に設けられたカムと係合するためのカムフロワと、カムの回転に応じてカムフロワとともにハンドボタンフレームの長手方向に摺動し呼出握りボタンと衝合して呼出握りボタンの動作を抑止するロック片とを有し、ロック片がハンドボタンフレームの長手方向に摺動されて呼出握りボタンへの衝合／衝合の解除を行なう握りボタンストッパである。
【００１３】
ハンドボタンにこのロック機構を備えるのは、不安等により常時ハンドボタンを握っている患者がいるからで、このような患者の場合にはロック機構で呼出握りボタンの動作を抑止し、呼出押しボタンのみを能動とする。
【発明の効果】
【００１４】
本発明のナースコール装置によれば、ハンドボタンの上面の呼出押しボタンを押すことにより看護師を呼び出すことができると共に、ハンドボタンがベッドの手すり等にぶら下がった状態であってもハンドボタンの側面の呼出握りボタンを握るだけで容易に看護師を呼び出すことができるようになる。また、不安等により常時ハンドボタンを握っている患者がいても、呼出握りボタンの動作を抑止することができるので、誤操作による呼び出しを防止できる。
【発明を実施するための最良の形態】
【００１５】
以下、本発明のナースコール装置における好ましい実施の形態例について、図面を参照して説明する。
【００１６】
このナースコール装置は図３に示すように、各病室内の患者のベッド付近に設置され、ナースステーション内の看護師を呼び出すためのハンドボタン４が接続されると共に、患者が看護師と通話するためのマイク５１、スピーカ５２を有するプレート子機５と、ナースステーションに設置され、看護師が患者と通話するための通話機能、患者から呼び出されたとき着信音を発生する着信音発生機能、何れかの患者に対して呼び出すかを選択する患者選択機能、何れの患者から呼び出しがあったかを表示する患者表示機能等を有するナースコール親機１とを備えている。なお、ハンドボタン４は図４に示すように、マイク、スピーカを有するハンド子機６に接続してもよい。また、プレート子機５は病室内の壁面や、該壁面等に設けられた病室コンソール（メディカルコンソール）の何れかに固定されている。
【００１７】
また、各プレート子機５は、それぞれ当該プレート子機５を制御（信号処理、通話路の選択等）するために各病室の出入口近傍に設置された廊下灯３に子機接続幹線Ｌ１を介して接続されている。これら廊下灯３は、制御機２から例えばフロア毎に分岐された各廊下灯接続幹線Ｌ２に接続されており、この廊下灯接続幹線Ｌ２は制御機２に接続されている。制御機２は、親機接続幹線Ｌ３を介してナースコール親機１に接続され、当該ナースコール親機１および各プレート子機５間の通話、データの送受を制御するものである。
【００１８】
次に、ナースステーション内の看護人を呼び出すためのハンドボタン４の構造について詳述する。
【００１９】
ハンドボタン４は図１、図２（ａ）、（ｂ）に示すように、１個の呼出スイッチ４０１が実装された基板４０２が内蔵され略直方体から成るハンドボタンフレーム４０と、ハンドボタンフレーム４０の長手方向の一端Ｅ１に設けられ患者が看護師を呼び出すための呼出押しボタン４１と、ハンドボタンフレーム４０の側面Ｓに設けられ患者が看護師を呼び出すための呼出握りボタン４２とを備えている。なお、このハンドボタン４は図５に示すように、略円筒形のカバー４３によって覆われているが、このカバー４３は呼出押しボタン４１と呼出握りボタン４２を覆う部分は操作可能に開口部４３１、４３２が穿孔されている。
【００２０】
ハンドボタンフレーム４０は基板４０２を内蔵しやすいように第１フレーム４０’と第２フレーム４０”とから構成され、これらフレームを嵌合させることにより１つのフレームとなる。また、第１フレーム４０’と第２フレーム４０”とを嵌合させた際、第２フレーム４０”の一方の表面に呼出スイッチ４０１を覆うスイッチカバー４０３が設けられている。このスイッチカバー４０３はゴム等の軟らかい材質から成るので、該スイッチカバー４０３を押すことにより呼出スイッチ４０１を押下できる。
【００２１】
呼出握りボタン４２は、ハンドボタン４の円周方向において実質的に対称に配置されて２個設けられている。このように呼出握りボタン４２は実質的に対称配置されているので、患者は手の大きさや握り方に関係なく該呼出握りボタン４２を確実に握ることができる。なお、正確に対称配置されていなくとも、ここで言う「実質的な対称配置」となる。また、ハンドボタン４の円周方向とは、ハンドボタン４を呼出押しボタン４１方向から見た際のことを言う。
【００２２】
また、呼出押しボタン４１及び呼出握りボタン４２は、それぞれハンドボタンフレーム４０に搭載する１個の呼出スイッチ４０１を押下する運動変換機構を備えている。この運動変換機構は、ハンドボタンフレーム４０に揺動自在に軸承され呼出スイッチ４０１を押下するための呼出スイッチ押下片４４を有している。この呼出スイッチ押下片４４は、ハンドボタンフレーム４０の第２フレーム４０”の表面側の長手方向におけるほぼ中心部に設けられた軸受４０４に回動可能に嵌合する軸４４１が一端側に形成され、他端側にはスイッチカバー４０３を介して呼出スイッチ４０１を押下するための押下部位４４２が形成されている。この呼出スイッチ押下片４４の押下部位４４２側の両側面にはそれぞれアーム４４３が折曲するように形成され、このアーム４４３の表面にはカムフロア（カムフォロア）４４４が突設されている。このような呼出スイッチ押下片４４の軸４４１を第２フレーム４０”の軸受４０４に回動可能に嵌合すると、該軸受４０４に嵌合した軸４４１を中心にして呼出スイッチ押下片４４を揺動させることができ、該呼出スイッチ押下片４４のアーム４４３が第２フレーム４０”の側面に位置することになる。したがって、呼出スイッチ押下片４４の押下部位４４２を押下すると、第２フレーム４０”のスイッチカバー４０３を介して呼出スイッチ４０１を押下することができる。
【００２３】
また、呼出押しボタン４１には、呼出スイッチ押下片４４に設けられたカムフロア４４４と係合するカム４１１が設けられ、このカム４１１は傾斜面から成るものである。この呼出押しボタン４１をハンドボタンフレーム４０の一端Ｅ１に設けるために、押しボタン受４５が用いられる。この押しボタン受４５は呼出押しボタン４１が挿入可能な形状から成り、該呼出押しボタン４１のカム４１１を貫通させるための第１の穴４５１が２つ穿設されている。また、呼出押しボタン４１を押しボタン受４５に挿入後、簡単には抜けないようにストッパ機構が設けられている。このストッパ機構は、呼出押しボタン４１に形成された引掛け爪４１２と、押しボタン受４５に穿設され引掛け爪４１２を貫通させる第２の穴４５２とから成るものである。このような押しボタン受４５に呼出押しボタン４１を挿入すると、呼出押しボタン４１のカム４１１は押しボタン受４５の第１の穴４５１を貫通し、呼出押しボタン４１の引掛け爪４１２は押しボタン受４５の第２の穴４５２を貫通する。この際、引掛け爪４１２は第２の穴４５２を貫通後、呼出押しボタン４１を外そうとしても第２の穴４５２の端面に引っ掛るので、呼出押しボタン４１は押しボタン受４５から簡単には外れなくなる。この押しボタン受４５はハンドボタンフレーム４０の長手方向の一端Ｅ１にねじ４６で回動可能に固定されている。なお、この呼出押しボタン４１と押しボタン受４５との間にはばね（図示せず）が介在し、呼出押しボタン４１を押しボタン受４５とは反対の方向に常時弾撥している。
【００２４】
また、呼出握りボタン４２はハンドボタンフレーム４０に揺動自在に軸承されている。呼出握りボタン４２は、ハンドボタンフレーム４０の長手方向の他端Ｅ２で且つ第１フレーム４０’の側面Ｓに設けられた軸受４０５に回動可能に嵌合する軸４２１が一端側に形成され、他端側には呼出スイッチ押下片４４の表面側に設けられた傾斜部４４５と係合するための押下突起４２２が形成されている。このような呼出握りボタン４２の軸４２１を第１フレーム４０’の軸受４０５に回動可能に嵌合すると、該軸受４０５に嵌合した軸４２１を中心にして呼出握りボタン４２を揺動させることができる。したがって、呼出握りボタン４２の握り操作に応じて呼出スイッチ押下片４４の傾斜部４４５を押下させながら該傾斜部４４５上を該呼出握りボタン４２の押下突起４２２が摺動することにより、呼出スイッチ押下片４４の押下部位４４２が矢印Ｙ１方向に押下するので（図１参照）、第２フレーム４０”のスイッチカバー４０３を介して呼出スイッチ４０１を押下することができる。
【００２５】
このようにハンドボタン４は、運動変換機構により１個の呼出スイッチ４０１を２種類の呼出ボタン４１、４２でＯＮ、ＯＦＦさせることができる。さらに、このハンドボタン４は、呼出握りボタン４２の動作を抑止するロック機構を備えている。このロック機構は、ハンドボタンフレーム４０に揺動自在に軸承された呼出握りボタン４２と突き合わせて（以下、「衝合」という。）、該呼出握りボタン４２の動作を抑止するロック片４７１が形成された握りボタンストッパ４７が主部品である（図２（ｂ）参照）。この握りボタンストッパ４７は、ハンドボタンフレーム４０の第１フレーム４０’の一端Ｅ１側方向に移動可能に嵌合され、また、ハンドボタンフレーム４０に回動自在に固定された押しボタン受４５に穿設される第３の穴４５３に挿入するためのばね受け突起４７２が形成されている。このばね受け突起４７２は呼出押しボタン４１と押しボタン受４５との間に介在するばねに係合するもので、図２（ｂ）において下面にカムフロア４７３が突設されている。このカムフロア４７３は押しボタン受４５に設けられた斜面から成るカム４５４に係合するもので（図７、図８参照）、押しボタン受４５が回動することにより、カム４５４に係合しているカムフロア４７３が該カム４５４の斜面に沿って移動する。握りボタンストッパ４７は、嵌合している第１フレーム４０’の長手方向に沿って摺動することになるので、このカム作用により呼出押しボタン４１方向に向かって移動している時には、呼出握りボタン４２の他端側に設けられたロック片受４２３に握りボタンストッパ４７のロック片４７１が衝合することになる。これにより、呼出握りボタン４２を握って呼出スイッチ４０１をオンさせることはできなくなるロック状態（衝合状態）にすることができる。なお、押しボタン受４５を所定方向に回転させた際、呼出握りボタン４２のロック片受４２３が握りボタンストッパ４７のロック片４７１に衝合する位置で該押しボタン受４５の回転を規制するために、押しボタン受４５には第２フレーム４０”の所定部位に衝突するストッパ４５５が突設されている。これにより、確実に呼出握りボタン４２の握り動作を抑止することができる（図２（ａ）、図８参照）。また、押しボタン受４５のストッパ４５５が第２フレーム４０”の所定部位に衝突した際、握りボタンストッパ４７が呼出押しボタン４１と押しボタン受４５との間に介在するばねの弾撥力により押し戻されて後述するロック解除状態にならないように、保持機構が設けられている。この保持機構は、例えば押しボタン受４５のカム４５４の斜面上に形成された凹部４５４ａに、握りボタンストッパ４７のばね受け突起４７２に突設されたカムフロア４７３が嵌合する機構で、ばねの弾撥力ではこの嵌合状態が解除できないように設定されている。
【００２６】
このロック機構によるロック状態を解除するには図８に示すように、押しボタン受４５の外周面の所定位置に設けられたロック解除穴４５６に所定の工具をいれて矢印Ｋ２方向（図８中、押しボタン受４５を上から見て右回転方向）に回転させる。押しボタン受４５を矢印Ｋ２方向に回転させると図７に示すように、呼出押しボタン４１と押しボタン受４５との間に介在するばねで常時押しボタン受４５とは反対の方向に弾撥されている握りボタンストッパ４７のカムフロア４７３が、押しボタン受４５のカム４５４に沿ってばねで弾撥されている方向へ摺動する。これにより、握りボタンストッパ４７のロック片４７１が呼出握りボタン４２に設けられたロック片受４２３から外れて該呼出握りボタン４２の内側凹部に入り込むので、呼出握りボタン４２で握り操作可能となる。
【００２７】
なお、呼出握りボタン４２は、ハンドボタンフレーム４０に組み付けた際、握りボタンストッパ４７のロック片４７１が該呼出握りボタン４２の内側凹部に移動可能に入り込むので、ハンドボタンフレーム４０から脱落することはなく、また、周囲に形成された鍔部４２４によってカバー４３の開口部４３１の端面（図５参照）に引っ掛かるので、必要以上に回転することはない。さらに、呼出握りボタン４２は、カバー４３の開口部４３１から握り操作可能に突出しているので、ベッドの上から転がり落ちることを防ぐことができる。
【００２８】
このように構成されたナースコール装置のナースコール機能について、患者がナースステーション内の看護人を呼び出すためのハンドボタン４の機構動作を中心にして説明する。
【００２９】
なお、ハンドボタン４で呼出操作が行われていない場合は、呼出押しボタン４１はばねにより押しボタン受４５から離れる方向に弾撥されているので、カム４１１が呼出スイッチ押下片４４のカムフロア４１１を矢印Ｙ１方向には揺動させない状態になる（図１参照）。また、呼出握りボタン４２は押下突起４２２が呼出スイッチ押下片４４の傾斜面４４４の高い方向である矢印Ｘ１方向には握り操作されていないので、やはり呼出スイッチ押下片４４のカムフロア４１１を矢印Ｙ１方向には揺動させない状態になる（図１参照）。
【００３０】
このように、呼出押しボタン４１及び呼出握りボタン４２がすべてボタン操作（スイッチオン動作）されていない状態において、病室のベッドの患者がナースステーションの看護師を呼び出すために、プレート子機５に接続されたハンドボタン４の呼出握りボタン４２で握り操作すると図６に示すように、呼出握りボタン４２の押下突起４２２が呼出スイッチ押下片４４の傾斜面４４５の高い方向である矢印Ｘ１方向に向かって揺動するので、該傾斜面４４５を押下させながら傾斜面４４５上を押下突起４２２が摺動する。これにより、呼出スイッチ押下片４４が矢印Ｙ１方向に揺動して呼び出しスイッチ４０１を押下することができる。この際、呼出スイッチ押下片４４のカムフロア４４４は、呼出スイッチ押しボタン４１が押下されていない状態なので、該呼出スイッチ押しボタン４１のカム４１１とは係合することはない。
【００３１】
次に、不安等により常時ハンドボタン４を握っている患者の場合には、該ハンドボタン４のロック機構を使用して呼出握りボタン４２の誤動作を防止する。具体的には図７に示すように、押しボタン受４５に設けられたロック用穴４５６をＫ１方向（図７中、押しボタン受４５を上から見て左回転方向）に回転させる。押しボタン受４５をＫ１方向に回転させると、該押しボタン受４５のカム４５４に係合している握りボタンストッパ４７のカムフロア４７３が該カム４５４の斜面に沿って矢印Ｙ２方向に移動する。握りボタンストッパ４７は、このカムフロア４７３の直線運動に基づき嵌合している第１フレーム４０’の長手方向に沿ってハンドボタンフレーム４０の一端Ｅ１方向に移動するので、図８に示すように、呼出握りボタン４２の他端側に設けられたロック片受４２３に握りボタンストッパ４７のロック片４７１が衝合する位置で保持機構が押しボタン受４５と握りボタンストッパ４７とを固定する。これにより、呼出握りボタン４２を握って呼出スイッチ４０１をオンさせることはできなくなるロック状態にすることができる。
【００３２】
この状態で患者がハンドボタン４の呼出押しボタン４１を押下操作すると図９に示すように、該呼出押しボタン４１のカム４１１の傾斜面に沿って呼出スイッチ押下片４４のカムフロア４４４が摺動して矢印Ｙ１方向に移動するので、ハンドボタンフレーム４０の軸受４０４に嵌合した軸４４１を中心にして呼出スイッチ押下片４４を矢印Ｙ１方向に揺動させることができる。これにより、呼出スイッチ押下片４４の押下部位４４２が第２フレーム４０”のスイッチカバー４０３を介して呼出スイッチ４０１を押下することができる。
【００３３】
なお、ハンドボタン４の呼出握りボタン４２も呼出操作可能にする場合には図８に示すように、押しボタン受４５に設けられたロック用穴４５６をＫ２方向に回転させる。押しボタン受４５をＫ２方向に回転させると、該押しボタン受４５のカム４５４に係合している握りボタンストッパ４７のカムフロア４７３が該カム４５４の斜面上に形成された凹部４５４ａから外れて、カム４５４の斜面に沿って矢印Ｙ３方向に移動する。握りボタンストッパ４７は、このカムフロア４７３の直線運動に基づき嵌合している第１フレーム４０’の長手方向に沿ってハンドボタンフレーム４０の他端Ｅ２方向に摺動するので、図７に示すように、呼出握りボタン４２の他端側に設けられたロック片受４２３から握りボタンストッパ４７のロック片４７１が離れることになる。これにより、呼出握りボタン４２を握って呼出スイッチ４０１をオンさせることができるロック解除状態にすることができる。
【００３４】
このようにしてハンドボタン４で呼び出し操作が行われると、この呼び出しをナースコール親機１の着信音発生機能である着信音や該当する患者を表示する患者表示機能であるＬＥＤ表示などで看護師は、どの病室のベッドの患者から呼び出しがあったかを確認することができる。看護師は呼び出しを確認後、ナースコール親機１の通話機能であるハンドセットを取ると、プレート子機５が有するマイク５１、スピーカ５２との通話路が形成され、ナースステーション内の看護師と病室のベッドの患者との通話が成立する。また、ナースステーション内の看護師が、病室のベッドの患者を呼び出すために、ナースコール親機１の患者選択機能である選択ボタンを押すと、この呼び出しをプレート子機５のスピーカ５２による呼出音で確認した患者がマイク５１で応答する。なお、この場合においても、ナースステーション内の看護師がハンドセットを取ることにより、ナースステーション内の看護師と病室のベッドの患者との通話が成立する。
【００３５】
なお、上述した本発明の好ましい実施の一形態であるナースコール装置においては、ナースステーション内に設置されるナースコール親機１に取り付けられたハンドセットが用いられていたが、これに限らず、ナースコール親機自体にマイク、スピーカが内蔵されるハンズフリー通話ができるナースコール装置でもよい。この場合、ナースステーション内の看護師と病室のベッドの患者との通話を成立させるには、ナースステーション内の看護師がナースコール親機１に取り付けられた表示部の該当するベッドの患者を呼び出す選択ボタンを押したり、予めナースコール親機１に設けられた通話ボタンを押したりすることにより、ナースコール親機１に内蔵されたマイク、スピーカと、プレート子機５が有するマイク５１、スピーカ５２との通話路が形成されるような機能をナースコール親機１に備えるとよい。また、このようなナースコール親機１のスピーカに、着信音発生部の機能をもたせてもよい。
【００３６】
また、上述した本発明の実施の形態においては、ハンドボタンでナースステーションから呼び出す人を看護師に限定したていたが、これに限らず、ナースステーションにいる看護人であれば医師等でもハンドボタンによる呼び出しに対してナースコール親機で応対することは言うまでもないことである。
【００３７】
また、上述した本発明の実施の形態においては、呼出握りボタン４２はハンドボタン４の円周方向において実質的に対称に配置されて２個設けられていたが、これに限らず、患者が手の大きさや握り方に関係なく該呼出握りボタン４２を確実に握ることができればどのような配置でもよく、ハンドボタン４の円周方向において実質的に均等若しくは対称に配置されていれば、少なくとも２個設けられていればよい。
【００３８】
これまで本発明について図面に示した特定の実施の形態をもって説明してきたが、本発明は図面に示した実施の形態に限定されるものではなく、本発明の効果を奏する限り、これまで知られたいかなる構成であっても採用することはできる。
【図面の簡単な説明】
【００３９】
【図１】本発明のナースコール装置における好ましい実施の形態例で、ハンドボタンの詳細構成を示す斜視図。
【図２】図１のハンドボタンを示す分解斜視図。
【図３】本発明のナースコール装置を示す全体構成図。
【図４】本発明のナースコール装置の他の実施例を示す部分構成図。
【図５】図１のハンドボタンの外観を示す斜視図。
【図６】図１のハンドボタンにおける呼出握りボタンの呼出動作状態を示す斜視図。
【図７】図１のハンドボタンにおけるロック機構のロック解除状態を示す構成図。
【図８】図１のハンドボタンにおけるロック機構のロック状態を示す構成図。
【図９】図１のハンドボタンにおける呼出押しボタンの呼出動作状態を示す斜視図。
【符号の説明】
【００４０】
１……ナースコール親機
３……廊下灯
４……ハンドボタン
４０……ハンドボタンフレーム
４１……呼出押しボタン
４１１……カム
４２……呼出握りボタン
４２２……押下突起
４４……呼出スイッチ押下片
４４４……カムフロア
４４５……傾斜部
４０１……呼出スイッチ
４５４……カム
４７１……ロック片
４７３……カムフロア
５……プレート子機
６……ハンド子機
【図１】
0004699713.tif 000002
【図２】
0004699713.tif 000003
【図３】
0004699713.tif 000004
【図４】
0004699713.tif 000005
【図５】
0004699713.tif 000006
【図６】
0004699713.tif 000007
【図７】
0004699713.tif 000008
【図８】
0004699713.tif 000009
【図９】
0004699713.tif 000010